(57)【特許請求の範囲】
【請求項１】
基部と、
前記基部に取り付けられた支柱部と、
前記支柱部に設けられた首部と、
前記首部に設けられた灯体とを有する照明装置において、
前記基部が載置物を受ける載置受け部を有し、
前記支柱部は、下方から上方に向かって左右幅が縮小する形状をなし、
前記支柱部の前側に前記載置物を傾斜支持する傾斜支持部を設け、
前記傾斜支持部は、上部が後になるように傾斜し、
前記傾斜支持部の左右方向中央側は後側に凹んでおり、
前記傾斜支持部は、中央傾斜支持部と、前記中央傾斜支持部の左右に設けられ相互の間隔が前側に向かって広がる左右傾斜支持部とを備え、
前記基部の内部に錘を有し、
前記錘が前記基部の前側に配置されていることを特徴とする照明装置。
【請求項２】
前記載置受け部に複数の凸部を設けると共に複数の凸部の間に凹部を設け、
前記凸部に滑り止め部を設けたことを特徴とする請求項１記載の照明装置。
【請求項３】
前記基部に設けられ、基端を中心に回動可能に設けられた左右一対の可動レバーのレバー本体と、
前記レバー本体の先端に設けられた載置物用押さえ部とを備え、
前記左右一対の可動レバーのレバー本体が前記支柱部の下方に設けられた左右のレバー収納部にそれぞれ移動可能であることを特徴とする請求項１記載の照明装置。
【請求項４】
前記基部の前面部に、前記灯体の点灯を操作するスイッチが設けられたことを特徴とする請求項３記載の照明装置。
【請求項５】
前記灯体が、
光源と、
前記光源の上方に設けられた光反射手段とを有し、
前記光反射手段の反射率が、鏡面反射の割合よりも拡散反射の割合が大きいことを特徴とする請求項１〜４のいずれか１項に記載の照明装置。
【発明の詳細な説明】
【技術分野】
【０００１】
本発明は、電気スタンド等の照明装置に関するものである。
【背景技術】
【０００２】
従来、この種の照明装置において本を読むに適したものとして、電気スタンドの照明光源の下方において書籍等の読み物を上載する傾斜受板の上縁部を該スタンドの直立基柱に凭せかけ、下端部をスタンドの基台又はこれを載置する載置台板の前端に構成した滑り止めに当接支持させることにより前記傾斜受板を机の水平面上約４５度に傾斜保持させるようにした電気スタンド（例えば、特許文献１参照）や、照明燈の支柱を左右のいずれかに配置した片持ち支柱型の電気スタンドと、該スタンドのベース上で照明の中央部を中心として装備されたブックスタンドとからなる電気スタンド（例えば、特許文献２参照）がある。
【先行技術文献】
【特許文献】
【０００３】
【特許文献１】実開平７−４１８６５号公報
【特許文献２】実願昭５８−１０１５１８号（実開昭６０−８６４０号）のマイクロフィルム
【発明の概要】
【発明が解決しようとする課題】
【０００４】
上記特許文献１の傾斜受板、及び上記特許文献２のブックスタンドを構成する盤はいずれも平坦であるため、本を全開にして置かなければならず、傾斜受板や盤を大きく倒さないと、本を安定して置くことができない。
【０００５】
また、上記特許文献１の電気スタンドでは、基台自体又は基台自体に固定されるか若しくは分離された別体からなる載置台板及び傾斜受板を用いている。このため、載置台板及び傾斜受板を基台に一体に設けた場合は、電気スタンドが大型化し、一方、それら載置板及び傾斜受板を基台に別体で設けた場合では、着脱作業が煩雑になるという問題がある。
【０００６】
同様に、上記特許文献２の電気スタンドでも、支柱の下部からブックスタンドが側方に大きく張り出すため、電気スタンドが大型化すると共に、設置スペースを取るという問題がある。
【０００７】
更に、両者従来技術とも、基本的に光源からの直射光によって照明する電気スタンドであるため、光源の位置によっては、傾斜受板又は盤に載置した本に光があたりにくい、という問題がある。
【０００８】
本発明は以上の問題点を解決し、載置物を安定して支持することができる照明装置を提供することを目的とする。
【課題を解決するための手段】
【０００９】
本発明の請求項１に記載の照明装置は、基部と、前記基部に取り付けられた支柱部と、前記支柱部に設けられた首部と、前記首部に設けられた灯体とを有する照明装置において、前記基部が載置物を受ける載置受け部を有し、前記支柱部は、下方から上方に向かって左右幅が縮小する形状をなし、前記支柱部の前側に前記載置物を傾斜支持する傾斜支持部を設け、前記傾斜支持部は、上部が後になるように傾斜し、前記傾斜支持部の左右方向中央側は後側に凹んでおり、前記傾斜支持部は、中央傾斜支持部と、前記中央傾斜支持部の左右に設けられ相互の間隔が前側に向かって広がる左右傾斜支持部とを備え、前記基部の内部に錘を有し、前記錘が前記基部の前側に配置されていることを特徴とする。
【００１０】
また、本発明の請求項２に記載の照明装置は、前記載置受け部に複数の凸部を設けると共に複数の凸部の間に凹部を設け、前記凸部に滑り止め部を設けたことを特徴とする。
【００１１】
また、本発明の請求項３に記載の照明装置は、前記基部に設けられ、基端を中心に回動可能に設けられた左右一対の可動レバーのレバー本体と、前記レバー本体の先端に設けられた載置物用押さえ部とを備え、前記左右一対の可動レバーのレバー本体が前記支柱部の下方に設けられた左右のレバー収納部にそれぞれ移動可能であることを特徴とする。
【００１２】
また、本発明の請求項４に記載の照明装置は、前記基部の前面部に、前記灯体の点灯を操作するスイッチが設けられたことを特徴とする。
【００１３】
また、本発明の請求項５に記載の照明装置は、前記灯体が、光源と、前記光源の上方に設けられた光反射手段とを有し、前記光反射手段の反射率が、鏡面反射の割合よりも拡散反射の割合が大きいことを特徴とする。
【発明の効果】
【００１４】
本発明の請求項１に記載の照明装置は、以上のように構成することにより、載置物を載置受け部に載置すると共に、載置物の後側を傾斜支持部で支持することにより、載置物を安定して支持することができ、また、支柱部は、下方から上方に向かって左右幅が縮小する形状をなし、基部と支柱部を用いるため、全体が大型化することがない。更に、載置物が本の場合は、背表紙側を凹んだ傾斜支持部により支持することにより、本を開いた状態で支持できる。
【００１５】
また、中央傾斜支持部に背表紙、左右傾斜支持部に表，裏表紙を支持させることにより、本を開いた状態で安定して支持することができる。
【００１６】
また、傾斜支持部に載置物を立て掛けるようにして支持しても、錘が基部の前側にあるため、基部及び支柱部が安定する。
【００１７】
また、凸部に滑り止め部を設けたことで載置物が滑り難く、更に、凹部に指などを入れて載置物を容易に持ち上げることができる。
【００１８】
また、一対の可動レバーを回動して載置物用押さえ部を傾斜支持部の前側に配置し、傾斜支持部の下側と載置物用押さえ部との間に、開いた本を挟んで保持することができる。また、使用しない場合は、可動レバーを支柱部の下方のレバー収納部に移動することにより、可動レバーが載置物の邪魔になることがない。
【００１９】
また、前記基部の前面部に、前記灯体の点灯を操作するスイッチが設けられたことにより、傾斜支持部に本等を立て掛けても、光源のオンオフのために前面部のスイッチの操作を手元で行うことができる。
【００２０】
更に、光反射手段の反射率が、鏡面反射の割合よりも拡散反射の割合が大きいことにより、光源の光を効率的に拡散光に変化させることによって比較的広範囲に光を照射して、載置物にも良好に光を照射することができる。
【図面の簡単な説明】
【００２１】
【図１】本発明の実施例１を示す照明装置の斜視図である。
【図２】同、断面図である。
【図３】同、正面図である。
【図４】同、要部の斜視図である。
【図５】同、支柱部から傾斜支持部を外した状態の要部の斜視図である。
【図６】同、可動レバーと緩み止め部材の断面図である。
【図７】同、基部の底面部を外した状態の底面図である。
【図８】同、灯体の要部の拡大断面図である。
【図９】同、使用状態の斜視図である。
【図１０】同、使用状態の正面図である。
【図１１】同、他の使用状態の斜視図である。
【発明を実施するための形態】
【００２２】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２３】
以下、本発明の実施例１について、図１〜図１１に基づいて説明する。なお、主として、図３の正面図に基づいて、前後左右を規定する。即ち、図２における左側を前、右側を後として説明する。１は本発明の照明装置である電気スタンドである。この電気スタンド１は、合成樹脂製の基部２と、この基部２の上に一体に立設した合成樹脂製の支柱部３と、この支柱部３の上部に可動に設けられた首部４と、この首部４の先端に可動に設けられた灯体５とを有して構成される。前記基部２は、前側の幅が後側の幅より広い平面視で台形の板状底面部２Ａを有し、この底面部２Ａが、設置面でもある被照射面Ｆと当接する。
【００２４】
前記基部２の上面部１０は後上面部１１と載置受け部たる前上面部１２とで水平に対する角度が異なり、前記後上面部１１が底面部２Ａと平行に形成され、前上面部１２は前側に向かって上向きに傾斜し、前上面部１２は底面部２Ａに対して、１０度以上４５度未満、好ましくは２０〜３０度程度の角度をなす。また、前記上面部１０の周囲と前記底面部２Ａの周囲との間には、前面部１４Ｆと左，右側面部１４Ｌ，１４Ｒと後面部１４Ｂとが設けられて基部２は中空状に形成されている。
【００２５】
また、前記前上面部１２には、左右方向中央に中央凸部１３を設け、この中央凸部１３は前後方向に形成され、この中央凸部１３の左右に凹部１５，１５が形成されている。また、前記中央凸部１３の上面１３Ｊと凹部１５の底面１５Ｔとは左右の傾斜段差面１３Ｋ，１３Ｋにより連結され、左右の傾斜段差面１３Ｋ，１３Ｋは下方から上方に向かって間隔が狭まるように傾斜している。即ち、前記中央凸部１３は前側から見て等脚台形形状をなす。
【００２６】
図５及び図６等に示すように、前記基部２の上面部１０には、前記中央凸部１３の後部左右の位置に、平面において略半円柱状で後側に凹んだ取付段差面１６，１６を設け、これら取付段差面１６，１６に対応して、可動レバー２１を回動可能に連結する連結筒部１７，１７が前記底面１５Ｔに突設されている。なお、左右の連結筒部１７，１７は基部２において、左右対称の位置にある。また、前記連結筒部１７が前記可動レバー２１の回転中心となる。
【００２７】
また、前記左右の取付段差面１６，１６から前記基部２の左，右側面部１４Ｌ，１４Ｒに向かって左右の収納側段差面１８，１８が形成され、これら左右の収納側段差面１８，１８は前側に向かって間隔が広くなるように形成されている。それら左右の収納側段差面１８，１８のなす角度は、１２０〜１５０度程度である。
【００２８】
更に、前記基部２の上面部１０の左右前端角部には、左右凸部１９，１９が設けられている。これら左右凸部１９，１９は、前記傾斜段差面１３Ｋと対向する前後方向の中央側傾斜段差面１９Ｃを有し、この中央側傾斜段差面１９Ｃの後端から基部２の側部に向かって後側傾斜段差面１９Ｕが設けられている。この後側傾斜段差面１９Ｕは、前記連結筒部１７を中心とした円の略接線方向に形成されている。なお、前記段差面１３Ｋ，１６，１８，１９Ｃ，１９Ｕは、前記上面１３Ｊと底面１５Ｔの間に設けられる。また、前記段差面１６，１８は、上面１３Ｊと底面１５Ｔとに略直交する。
【００２９】
図５及び図６などに示すように、前記可動レバー２１は、杆状のレバー本体２２の基端に回動筒部２３を一体に設け、この回動筒部２３を前記連結筒部１７に回動可能に外嵌する。また、前記レバー本体２２の先端には上向きの載置物用押さえ部２４が設けられ、この押さえ部２４の上端には拡大頭部２５が設けられ、この拡大頭部２５は略球状をなす。更に、前記レバー本体２２の先端側の上面には段部２６を設け、前記レバー本体２２は前記段部２６の基端側より先端側が細く形成されている。そして、その段部２６の位置に、エラストマーなどからなる輪体２７を外嵌し、この輪体２７が滑り止め部である。
【００３０】
次に、前記可動レバー２１の取付構造について説明する。緩み止め部材３１は、合成樹脂などからなり、前記左右の連結筒部１７，１７に対応して、左右のワッシャ部３２，３２を備え、この左右のワッシャ部３２，３２を左右方向の連結杆３３により一体に連結している。また、前記ワッシャ部３２には透孔３４が穿設されると共に、前記ワッシャ部３２の下面には前記連結筒部１７の上部に外嵌する外嵌凹部３５が形成されている。
【００３１】
更に、前記ワッシャ部３２の下面と前記回動筒部２３の上面との間には、弾性リング３６を配置している。この弾性リング３６はシリコンゴムやエラストマーなどからなり、少なくとも厚さ方向の圧縮に対する弾性復元力を有する。また、この弾性リング３６は、前記可動レバー２１及び前記基部２の材質より摩擦抵抗が大きい。なお、前記連結筒部１７の高さより前記回動筒部２３の高さは低く、前記連結筒部１７に前記回動筒部２３を外嵌すると共に、前記連結筒部１７に前記ワッシャ部３２を外嵌した状態で、前記回動筒部２３の上面と前記ワッシャ部３２の下面との間隔が前記弾性リング３６の厚さより狭く設定されている。
【００３２】
そして、前記連結筒部１７に前記回動筒部２３を回動可能に外装し、前記連結筒部１７の上部に前記弾性リング３６を外装し、更に、前記連結筒部１７の上端に前記ワッシャ部３２を外装した状態で、透孔３４にネジ３７を挿通し、このネジ３７を連結筒部１７に螺合し、前記連結筒部１７の上面が前記ワッシャ部３２の前記外嵌凹部３５の上面に当接すると、前記弾性リング３６が圧縮される。なお、左右の前記連結筒部１７，１７に左右の前記可動レバー２１，２１の回動筒部２３，２３をそれぞれ連結する。
【００３３】
このようにして前記弾性リング３６が前記回動筒部２３の上面に圧接した状態で、前記連結筒部１７に前記回動筒部２３が回動可能に連結されるから、前記可動レバー２１の回動に所定の抵抗力が得られる。従って、後述するように、開いた本６のページ等を前記押さえ部２４により押さえた状態で保持することができる。また、同様に、前記輪体２７が前記底面１５Ｔに当接することにより、前記可動レバー２１の可動に所定の抵抗力が得られる。
【００３４】
また、左右のワッシャ部３２，３２は前記連結杆３３により連結されているから、回り止め状態となっている。従って、前記ネジ３７が緩む方向に前記可動レバー２１を回しても、前記ワッシャ部３２が回ることがないから、前記ネジ３７の緩みを防止できる。
【００３５】
前記中央凸部１３の上面及び左右凸部１９，１９の上面には、シリコンゴム板等の摩擦の大きい滑り止め部材４１，４２，４２を貼設し、これらの滑り止め部材４１，４２，４２の上面により滑り止め部４１Ａ，４２Ａ，４２Ａを構成している。また、これらの滑り止め部材４１，４２，４２の上面には、不定形な小凸部４３が複数形成されている。
【００３６】
また、図２及び図５に示すように、前記後上面部１１の中央には長方形形状の孔４４が穿設され、この孔４４により前記基部２の内部と前記支柱部３の内部が連通する。なお、孔４４には、後述するように、電気ケーブル等が挿通される。また、前記孔４４に対応して、前記基部２の後面部１４Ｂには、コード用開口部４５が形成されている。
【００３７】
前記支柱部３は、前面が開口したケース本体５１と、このケース本体５１の前面開口部５２を塞ぐ前面部５３とを備え、合成樹脂からなる。そして、この前面部５３が傾斜支持部である。また、前記支柱部３は、下方から上方に向かって左右幅及び前後幅が縮小する形状をなし、前記前面部５３の上部が後になるように後傾している。前記ケース本体５１は後面部５１Ｂと、この後面部５１Ｂから前側に向かって相互の間隔が広がる左，右側面部５１Ｌ，５１Ｒとを有し、これら左，右側面部５１Ｌ，５１Ｒの前縁間に前記前面開口部５２が形成されている。また、前記ケース本体５１は、底面部５１Ｔを有し、この底面部５１Ｔが前記基部２の後上面部１１側に固定されている。
【００３８】
前記前面部５３は正面視で略三角形状をなし、左右方向中央が後側に凹んで形成されている。具体的には、前記前面部５３の左右方向中央に一定幅の中央傾斜支持部５４が設けられ、この中央傾斜支持部５４の左右に、相互の間隔が後側から前側に向かって拡大する左右傾斜支持部５５，５５が設けられている。これらの傾斜支持部５４，５５は、いずれも平坦面又は大きな曲率の湾曲面に形成されている。なお、左右傾斜支持部５５，５５同士のなす角度は、１２０〜１５０度程度である。また、前記中央傾斜支持部５４の左右幅は、１６〜３６ｍｍ程度であり、前記各左右傾斜支持部５５，５５は、上方に向かって左右幅が狭くなる。更に、図３に示すように、前記支柱部３の最大左右幅は、前記基部２の最大左右幅よりも狭い。
【００３９】
また、前記前面部５３の左右の前縁部５６，５６は、緩やかな凹状に湾曲し、これらの前縁部５６の下部に、前記前上面部１２と略直交する縦縁部５６Ａ，５６Ａが形成されている。なお、前記前縁部５６及び縦縁部５６Ａは、垂直から２０〜４０度、好ましくは２５〜３５度程度後方に傾倒している。前記前縁部５６，５６は湾曲しているから、前記角度は、前記前縁部５６の上端と下端とを結んだ仮想線の角度である。
【００４０】
前記ケース本体５１の後面部５１Ｂには、複数のボス部６１が前方に向かって突設され、このボス部６１に対応して、前記前面部５３の後面に挿入ボス部６２が後方に向かって突出されている。そして、この挿入ボス部６２の先端を前記ボス部６１の先端に係入し、このボス部６１の後部から挿通したネジ６３を、前記挿入ボス部６２に螺着することにより、前記ケース本体５１に前記前面部５３を固定することができる。
【００４１】
また、前記前面部５３の下部には、底面部５３Ｔが形成され、前記ケース本体５１に前面部５３を固定した状態で、前記底面部５３Ｔが後上面部１１の上面に当接又は近接し、前記収納側段差面１８側において、前記底面部５３Ｔと凹部１５の底面１５Ｔとの間に前記可動レバー２１のレバー本体２２の少なくとも一部を挿入して収納するレバー収納部５８が左右に設けられている。
【００４２】
図２に示すように、前記ケース本体５１には電源基板６４が内蔵され、この電源基板６４の後部は基板カバー６４Ａにより覆われている。また、前記基部２の後部には、前記コード用開口部４５に電源コード６５が挿通保持され、この電源コード６５が前記電源基板６４に電気的に接続されている。更に、前記基部２の前面部１４Ｆの中央上部には、スイッチ用の装着孔６６を穿設し、この装着孔６６に押しボタン式のスイッチ６７が配置されている。そして、このスイッチ６７は、基部２の内部に設けたスイッチホルダー６８により保持されている。また、前記基部２の内部にはスイッチ基板６９が設けられ、このスイッチ基板６９は前記電源基板６４に電気的に接続されており、前記スイッチ６７を押すことにより前記スイッチ基板６９が操作され、前記電気スタンド１の点灯のオンオフを行うことができる。
【００４３】
また、図２及び図７に示すように、前記基部２の内部の前側には、該基部２の合成樹脂より比重の大きな金属等からなる錘４６が設けられている。この錘４６は、前記スイッチ基板６９の左右に、断面が三角形状の左右錘部４７，４７が設けられ、この左右の錘部４７，４７を連結錘部４８により連結してなる。なお、この左右錘部４７，４７の三角形状の二辺は、前面部１４Ｆと前上面部１２の傾斜に略対応している。
【００４４】
前記首部４の内部には、それ自体が可撓性を有するフレキシブルシャフト４Ａが設けられている。
【００４５】
次に、前記灯体５の構成について説明する。図１等に示すように、前記灯体５は、前記首部４の先端に連結したケース本体７１を備える。このケース本体７１は、上ケース部７２と下ケース部７３とからなる。この上ケース部７２の先端側には、フード部７４が先端側に向かって延設されている。前記ケース本体７１は合成樹脂製で、光を通さない不透明な材料からなる。なお、前記灯体５は、前記首部４の軸中心に対して、水平位置より上下それぞれ１５度程度回動可能である。また、前記灯体５は、前記首部４を屈曲させることにより、水平位置から略垂直位置まで向きを変更することができる。なお、この例の前記灯体５の水平位置とは、前記下ケース部７３の下面が水平線と略平行となる状態の位置を指す。
【００４６】
また、前記上ケース部７２は先端側が斜め上向きの傾斜部７２Ａを有し、この傾斜部７２Ａの先端から前記フード部７４が斜め下向きに形成される。即ち、前記上ケース部７２は、側面視で山型状に形成される。また、前記上ケース部７２と前記下ケース部７３の先端側の間には、開口部７５が形成されている。
【００４７】
前記灯体５の光学系について詳述する。前記灯体５は、光源としての複数の照明用ＬＥＤ７６を有する。これらのＬＥＤ７６は、金属基板７７上に左右一列に複数並べて設けられ、前記開口部７５から外部に光を照射する。また、前記金属基板７７は、板状の放熱体７８に接続される。この放熱体７８は、熱伝導性の良いアルミニウム等の金属からなる。
【００４８】
前記ＬＥＤ７６は、前記開口部７５の下前縁の位置より基端側（後側）に位置し、前記ケース本体７１に内蔵されている。また、前記灯体５の水平位置で、前記ＬＥＤ７６及び金属基板７７は、前記ＬＥＤ７６の光軸７６Ｊが先端側（前側）に向かって斜め上向きをなすように、傾けた状態で設けられている。そして、前記光軸７６Ｊと、補助線１０１で示す水平線とのなす角度θは、１０度以上４５度未満、好ましくは２０〜３０度程度であり、図８では角度θが２５度のものを図示している。これは、角度θが１０度未満であると、被照射面Ｆ方向に向かう直射光が多くなってしまい、また、角度θが４５度以上であると、光反射手段８１へ照射する照射範囲が狭くなる虞が生じるからである。なお、前記金属基板７７が、垂直線に対してなす角度は、前記角度θと同一である。
【００４９】
また、前記傾斜部７２Ａ及びフード部７４内には、板状の前記光反射手段８１が設けられている。この光反射手段８１の光反射面である内面の少なくとも一部は、前記ＬＥＤ７６の位置より上方に位置する。また、前記光反射手段８１は、前記ＬＥＤ７６の上部から前記フード部７４の先端側に亘って連続して設けられている。
【００５０】
前記光反射手段８１は、光を反射するものであって、鏡面反射の割合より拡散反射の割合が大きな素材で形成されている。前記光反射手段８１の鏡面反射の割合は、１０％以下が眩しさを低減する面から好ましく、かつ、拡散反射の割合は、８０％を超えるものが照明効果の点から好ましい。なお、前記光反射手段８１は、反射面が白色のものを用いている。前記光反射手段８１の一例としては、超微細発泡反射板ＭＣＰＥＴ（登録商標：古河電気工業株式会社製）等を用いることができる。超微細発泡反射板ＭＣＰＥＴは、厚さ０．９４ｍｍ、全反射率９９％、拡散反射率９６％である。補足すると、上述した反射率は、波長５５０ｎｍの光における硫酸バリウムとの相対値であり、全反射率９９％に対して３％が鏡面反射分であり、残りの１％が吸収された分である。
【００５１】
前記光反射手段８１は、基端に斜め上向きの基端側傾斜部８１Ａを設け、この基端側傾斜部８１Ａの先端に略水平な中間部８１Ｂを設け、この中間部８１Ｂの先端に斜め下向きの先端側傾斜部８１Ｃを設けている。なお、前記基端側傾斜部８１Ａと中間部８１Ｂの間、前記中間部８１Ｂと先端側傾斜部８１Ｃとの間には、それぞれ屈曲部８１Ｋが設けられている。また、いずれも水平に対して、前記基端側傾斜部８１Ａの傾斜角度は前記角度θ以上で４５度以下、前記先端側傾斜部８１Ｃの角度は、前記角度θと略同一又は同一であり、かつ、前記フード部７４の角度より小さい。なお、前記基端側傾斜部８１Ａ、中間部８１Ｂの長さは、それ程変わらないが、前記先端側傾斜部８１Ｃは最も長く、前記中間部８１Ｂのおよそ５倍程度の長さを有する。
【００５２】
前記基端側傾斜部８１Ａは、その基端が前記金属基板７７の前面側まで伸び、その先端（屈曲部８１Ｋ）が略開口部７５に位置する。また、先端側傾斜部８１Ｃは、前記フード部７４の先端側まで延設されており、その先端は前記ＬＥＤ７６の位置又はこの位置よりも下方に位置する。従って、前記フード部７４及び前記先端側傾斜部８１Ｃは、前記ＬＥＤ７６の位置から引き出された補助線１０１で示す水平線と交差するように、それぞれの傾斜角度と長さが規定されている。
【００５３】
前記放熱体７８は、前記金属基板７７の後面と、前記光反射手段８１の上面を覆うように設けられる。具体的には、前記放熱体７８は、前記金属基板７７の後面に接すると共に、前記光反射手段８１の上面に貼り付けられる。即ち、金属製放熱体７８の下面に、前記光反射手段８１が貼り付けられている。なお、図８等に示すように、前記放熱体７８は、前記光反射手段８１に倣った形状となるように成形される。従って、前記放熱体７８は、前記光反射手段８１に対応して、基端側傾斜部と、中間部と、先端側傾斜部とを有し、更に前記金属基板７７の後面に沿う部分とを一体に有する。
【００５４】
前記ＬＥＤ７６の照射側には、合成樹脂製で、透光性を有するＬＥＤカバー８２が設けられている。このＬＥＤカバー８２は、前記光軸７６Ｊと直交する前面部８３と、該光軸７６Ｊと略平行な上，下面部８４，８４とを一体に有して断面略Ｕ字型に形成される。前記上，下面部８４，８４の後縁は、金属基板７７の前面に当接している。なお、前記ＬＥＤカバー８２は、透明又は半透明のものを用いることができ、前記ＬＥＤ７６に近接するため、耐熱性に優れた合成樹脂、例えばポリカーボネート等を用いることが好ましい。
【００５５】
前記ＬＥＤカバー８２には、前記ＬＥＤ７６から放射される光のうち、前記光反射手段８１に照射されない直射光が通過する範囲に、拡散光生成手段８５を設けている。本実施例において、前記拡散光生成手段８５は、前記ＬＥＤカバー８２の外面に施したシボ加工部からなる。この拡散光生成手段８５は、前記下面部８４の底面と、前記前面部８３の下部側とに設けられている。そして、図８に示すように、前記ＬＥＤ７６と先端側傾斜部８１Ｃの先端とを結ぶ仮想線１０３の位置より多少上方に、前記拡散光生成手段８５の上端が位置している。なお、前記拡散光生成手段８５の上端と、仮想線１０３が前記前面部８３に交差する位置との高さの差を０〜５ｍｍ程度とすることが好ましい。そして、前記ＬＥＤカバー８２において、前記拡散光生成手段８５以外の部分は、前記ＬＥＤ７６が放射した光を拡散させずに透過させる透過部８６である。なお、本実施例においては、前記仮想線１０３が前記前面部８３に交差する位置よりも上方の前記ＬＥＤカバー８２の部分については、その殆どの部分が前記透過部８６である。
【００５６】
従って、前記ＬＥＤ７６から放射される光のうち、前記光反射手段８１に照射されない直射光が前記拡散光生成手段８５を透過することにより、拡散光となって前記被照射面Ｆに照射される。
【００５７】
次に、灯体５の照明について説明する。なお、前記電気スタンド１は、前記電源コード６５により、予め図示しない交流電源に接続されているものとする。そして、使用者が前記スイッチ６７を操作することで、前記灯体５に設けられた前記ＬＥＤ７６に電力が供給され、このＬＥＤ７６が発光する。
【００５８】
なお、前記ＬＥＤ７６に通電することで発生する熱は、前記金属基板７７を介して前記放熱体７８に移動し、この放熱体７８から放出される。
【００５９】
図８に示したように、前記ＬＥＤ７６から放射された光の一部は、前記ＬＥＤカバー８２の透過部８６を透過して、前記光反射手段８１に照射される。前記光反射手段８１に照射された光は、この光反射手段８１において反射することにより、所定の割合の拡散光が生成されて下方に照射され、被照射面Ｆを照明することができる。この場合、水平に対して上向きの角度が大きな光は、前記中間部８１Ｂで反射し、水平に対して上向きの角度が小さな光は、前記先端側傾斜部８１Ｃで反射し、所定割合が拡散光となって下側に照射される。このように、前記光反射手段８１に照射された光は、この光反射手段８１で反射されることにより、所定の割合の拡散光が生成されるので、本来点光源である前記ＬＥＤ７６の眩しさや多重影を低減させ、目に優しい柔らかい光で被照射面Ｆを照明することができる。また、前記光反射手段８１に、略水平な前記中間部８１Ｂを設けることにより、前記先端側傾斜部８１Ｃの水平に対する角度を大きく設定することができ、前記ＬＥＤ７６の光を良好に下方に導くことができる。また、前記基端側傾斜部８１Ａにおいても反射により光は拡散するが、基端側傾斜部８１Ａの水平に対する角度が光軸の角度θより大きいから、前記基端側傾斜部８１Ａで反射した後で前記拡散光生成手段８５に向かう光量を抑えることができる。また、前記光反射手段８１に照射された光は、この光反射手段８１で反射されることにより、所定の割合の拡散光が生成されるため、従来の直射光を基本に照明するものと比べて、被照射面Ｆを比較的広範囲に照明することができる。従って、前記光反射手段８１の反射率が、鏡面反射の割合よりも拡散反射の割合が大きくすることにより、光源の光を効率的に拡散光に変化させて、載置物たる本６等にも良好に光を照射することができる。更に、前記光反射手段８１の反射率が、鏡面反射の割合よりも拡散反射の割合が大きいから、光源の光を効率的に拡散光に変化させて、光源の眩しさの発生を低減することができ、同時に載置物たる本６等で反射した光による眩しさを低減できる。
【００６０】
一方、前記ＬＥＤ７６から放射された光のうち、前記光反射手段８１に照射されない直射光、即ち前記拡散光生成手段８５を透過する光は、該拡散光生成手段８５を透過することにより、拡散光となって下方に照射される。
【００６１】
次に、前記基部２と支柱部３の前面の使用方法について説明する。前記電気スタンド１を読書に用いる場合、前記左右のレバー収納部５８，５８に収納していた前記可動レバー２１，２１を、前記押さえ部２４，２４を用いて前側に回す。そして、前記前面部５３と左右の前記押さえ部２４，２４の間に、開いた本６を配置し、該本６を前記前上面部１２に載置する。この場合、本６の背表紙を前記中央傾斜支持部５４に当たるように配置し、本６の表紙及び裏表紙を左右の前記傾斜支持部５５，５５又は前記前縁部５６，５６に当たるように配置することにより、前記前面部５３により本６を安定して支持することができる。更に、前記押さえ部２４が開いた本６に当たるように前記可動レバー２１を逆方向に回し、本６の左右に開いたページを左右の前記押さえ部２４，２４により押さえる。
【００６２】
また、本６の下部は前記前上面部１２の前記滑り止め部材４１，４２，４２の上に載置されることにより、ずれにくくなる。
【００６３】
このように、前記灯体５を支持する前記基部２と前記支柱部３の前面を利用することにより、前記電気スタンド１が大型化することなく、開いた本６を安定して支持することができる。
【００６４】
また、前記基部２の内部で前側、即ち前上面部１２側には、金属などからなる前記錘４６が設けられているから、本６等を前記前面部５３に立て掛けても、前記電気スタンド１が後に倒れることがなく、安定したものとなる。
【００６５】
さらに、図１１に示すように、携帯端末７を立て掛けて支持することができる。前記携帯端末７としては、携帯電話、スマートフォン、タブレット端末、電子書籍端末等の情報通信可能な携帯型の電子機器が例示され、その前面に表示部７Ｈを有する。
【００６６】
具体的には、前記携帯端末７の側部７Ｓを前上面部１２に載置すると共に、携帯端末７の後面を前面部５３に立て掛ける。この場合、特に画面の小さいスマートフォン等の携帯端末７を前記前上面部１２に載置した場合、前記可動レバー２１，２１は前記携帯端末７の表示部７Ｈの前側にあると、前記表示部７Ｈの操作や、前記表示部７Ｈの視認がしにくくなり、可動レバー２１が邪魔になるおそれがある。従って、前記可動レバー２１を使用しない場合には、前記可動レバー２１を前記支柱部３の下方に移動することにより、前記可動レバー２１が載置物の邪魔になることを防止することができる。
【００６７】
また、前記携帯端末７を取り外す際に、前記凹部１５に指を差し入れ、前記側部７Ｓに指をかけ、持ち上げることで、前記表示部７Ｈのある前面側に触ることなく、携帯端末７を取り外すことができる。
【００６８】
以上のように本実施例では、基部２と、前記基部２に取り付けられた支柱部３と、前記支柱部３に設けられた首部４と、前記首部４に設けられた灯体５とを有する照明装置において、前記基部２が載置物たる本６又は携帯端末７を受ける載置受け部たる前上面部１２を有し、前記支柱部３は、下方から上方に向かって左右幅が縮小する形状をなし、前記支柱部３の前側に前記載置物を傾斜支持する傾斜支持部たる前面部５３を設け、前記前面部５３は、上部が後になるように傾斜し、前記前面部５３の左右方向中央側が後側に凹んでおり、前記前面部５３は、中央傾斜支持部５４と、前記中央傾斜支持部５４の左右に設けられ相互の間隔が前側に向かって広がる左右傾斜支持部５５，５５とを備え、前記基部２の内部に錘４６を有し、この錘４６が前記基部２の前側に配置されているから、載置物を前記前上面部１２に載置すると共に、載置物の後側を前記前面部５３により支持することにより、載置物を安定して支持することができ、また、前記基部２と前記支柱部３を用いるため全体が大型化することがない。更に、載置物が本６の場合は、背表紙側を凹んだ前記前面部５３で支持することにより、本６を開いた状態で支持できる。
【００６９】
また、前記中央傾斜支持部５４に背表紙、前記左右傾斜支持部５５，５５に表紙及び裏表紙を支持させることにより、本６を開いた状態で安定して支持することができる。
【００７０】
また、傾斜支持部たる前記前面部５３に載置物を立て掛けるようにして支持しても、前記錘４６が前記基部２の前側にあるため、前記基部２及び前記支柱部３が安定する。
【００７１】
また、前記載置受け部たる前上面部１２に複数の凸部たる中央凸部１３及び凸部１９，１９を設けると共に複数の凸部１９，１３，１９の間に凹部１５，１５を設け、前記中央凸部１３及び凸部１９，１９に滑り止め部４１Ａ，４２Ａを設けたから、載置物が滑り難く、また、前記凹部１５，１５に指等を入れて載置物を容易に持ち上げることができる。
【００７２】
また、前記基部２に設けられ、基端を中心に回動可能に設けられた左右一対の可動レバー２１，２１のレバー本体２２，２２と、前記レバー本体２２の先端に設けられた載置物用押さえ部２４とを備え、前記左右一対の可動レバー２１，２１のレバー本体２２，２２が前記支柱部３の下方に設けた左右のレバー収納部５８，５８にそれぞれ移動可能であるから、一対の可動レバー２１，２１を回動して前記載置物用押さえ部２４，２４を前側に配置し、前記前面部５３の下側と載置物用押さえ部２４との間に、開いた本６を挟んで保持することができる。また、使用しない場合は、前記可動レバー２１を前記支柱部３の下方に移動することにより、前記可動レバー２１が載置物の邪魔になることがない。
【００７３】
また、基部２の前面部１４Ｆに、灯体５の点灯を操作するスイッチ６７が設けられているので、傾斜支持部たる前面部５３に本６等を立て掛けても、光源たる照明用ＬＥＤ７６のオンオフのために前面部１４Ｆのスイッチ６７の操作を手元で行うことができる。
【００７４】
また、前記灯体５が、光源たる照明用ＬＥＤ７６と、このＬＥＤ７６の上方に設けられた光反射手段８１とを有し、この光反射手段８１の反射率が、鏡面反射の割合よりも拡散反射の割合を大きくすることにより、光源の光を効率的に拡散光に変化させて、載置物たる本６などにも良好に光を照射することができる。更に、前記光反射手段８１の反射率が、鏡面反射の割合よりも拡散反射の割合が大きいから、前記ＬＥＤ７６の光を効率的に拡散光に変化させて、眩しさを低減させることができ、同時に載置物たる本６等に反射した光による眩しさを低減することができる。
【００７５】
また、実施例上の効果として、可動レバー２１の連結筒部１７への取付構造には、左右のワッシャ部３２，３２を連結杆３３により連結した緩み止め部材３１を備えるから、ワッシャ部３２に挿通したネジ３７が緩むことを防止できる。また、回動筒部２３に圧接して回転抵抗を付与する回転抵抗部材たる弾性リング３６を備えるから、可動レバー２１の可動に所定の抵抗力が得られ、本６等を安定して押さえることができる。また、錘４６はスイッチ基板６９を挟んで左右の左右錘部４７，４７を配置したから、基部２の前側に効率よく重心を置くことができる。更に、前上面部１２を前側に向かって高くなるように形成することにより、載置物を安定して載置できると共に、基部２内の前側の空間を大きく取ることができ、この前側の空間に錘４６やスイッチ基板６９を収納することができる。
【００７６】
以下、灯体５に係わる実施例上の効果として、本実施例では、光源たるＬＥＤ７６を備えた灯体５と、前記ＬＥＤ７６の上方に設けられた光反射手段８１とを有する照明装置たる電気スタンド１において、前記ＬＥＤ７６の光軸７６Ｊが水平よりも上向きに規定されていると共に、前記光反射手段８１と交差するから、前記ＬＥＤ７６の放射光を前記光反射手段８１で反射させて、拡散光に変化させることによって、眩しさや多重影を低減することができる。また、導光体等の部品を用いる必要がないため、前記灯体５の重さを比較的軽量にすることができると共に、前記電気スタンド１自体を安価に製造することができる。
【００７７】
また、本実施例では、前記光反射手段８１の反射率が、鏡面反射の割合よりも拡散反射の割合の方が大きいから、効率よく光源の眩しさ及び多重影の発生を低減させることができる。
【００７８】
更に、光源が前記ＬＥＤ７６からなり、このＬＥＤ７６の照射側に透光性を有する前記ＬＥＤカバー８２が設けられ、このＬＥＤカバー８２のうち、被照射面Ｆ方向に直接向かう光が透過する範囲に、拡散光生成手段８５を設けたから、前記ＬＥＤカバー８２により使用者が前記ＬＥＤ７６に直接触れないようにでき、且つ、直射光がシボ加工等によって形成された前記拡散光生成手段８５を透過することにより、直射光の眩しさ及び多重影の発生を低減することができる。
【００７９】
また、前記光軸７６Ｊと、前記補助線１０１で示す水平線とのなす角度θは、１０度以上４５度未満、好ましく２０度以上３０度以下であるから、被照射面Ｆの比較的広い範囲を効果的に照明することができる。即ち、角度θが４５度を越えると、前記光反射手段８１へ照射する照射範囲が狭くなる虞があり、また、角度θが１０度未満では、被照射面Ｆ方向に直接向かう直射光が多くなってしまうため、上記の範囲が好ましい。また、金属製の前記放熱体７８の内面に板状の前記光反射手段８１を重ねて貼り付けて固定したから、シート状で可撓性を有する前記光反射手段８１の取り付けを容易に行うことができる。また、前記光反射手段８１の鏡面反射の割合が１０％以下であるから、眩しさの低減効果に優れる。しかも、前記ＬＥＤカバー８２には、前記ＬＥＤ７６が放射した光が拡散せずに透過する透過部８６を設けたから、照明効率の低下を防止することができる。
【００８０】
なお、本発明は以上の実施例に限定されるものではなく、発明の要旨の範囲内で種々の変形実施が可能である。例えば、上記実施例では中央凸部と左右凸部とを設けたが、左右凸部のみ設け、これら左右凸部の間に凹部を設けてもよい。同様に、上記実施例では、傾斜支持部を中央傾斜支持部と左右傾斜支持部とで構成したが、傾斜支持部を左右傾斜支持部のみで構成してもよい。また、首部は、灯体と支柱部を連結し、灯体の位置や角度を調整可能するものであれば、如何なるものでも構わない。
【符号の説明】
【００８１】
１  電気スタンド（照明装置）
２  基部
３  支柱部
４  首部
５  灯体
６  本（載置物）
７  携帯端末（載置物）
１２  前上面部（載置受け部）
１３  中央凸部（凸部）
１４Ｆ  前面部
１５  凹部
２１  可動レバー
２２  レバー本体
２４  押さえ部（載置用押さえ部）
４１Ａ  滑り止め部
４２Ａ  滑り止め部
４６  錘
５３  前面部（傾斜支持部）
５４  中央傾斜支持部
５５  左右傾斜支持部
５８  レバー収納部
６７  スイッチ
７６  照明用ＬＥＤ（光源）
８１  光反射手段
【図１】
0006407648.tif 000002
【図２】
0006407648.tif 000003
【図３】
0006407648.tif 000004
【図４】
0006407648.tif 000005
【図５】
0006407648.tif 000006
【図６】
0006407648.tif 000007
【図７】
0006407648.tif 000008
【図８】
0006407648.tif 000009
【図９】
0006407648.tif 000010
【図１０】
0006407648.tif 000011
【図１１】
0006407648.tif 000012